(57)【特許請求の範囲】
【請求項１】
カートリッジホルダにセットされたカートリッジに内蔵されたディスクに対して磁気ヘッドを近接させて記録する状態と、磁気ヘッドを離間させて再生する状態とに動作モードを切り換えられる光磁気記録再生装置であって、
前記カートリッジホルダに駆動源と連動機構とを設けて前記磁気ヘッドを動作モードに応じて前記ディスクに接近離間方向に移動させるように構成するとともに、
磁気ヘッドを近接させる記録状態または磁気ヘッドを離間させる再生状態に前記連動機構が達した状態で一時的に状態を保持させるロック機構を設け、
前記駆動源として前記カートリッジホルダにブラシレスモータを設け、
前記連動機構として、前記ブラシレスモータのモータ歯車と噛み合う減速歯車と、前記減速歯車とかみ合うハスバ歯車と、前記ハスバ歯車とかみ合うウォーム歯車とを設け、
前記ハスバ歯車とウォーム歯車とは同一支軸を中心に回転し、前記ウォーム歯車の両端に中立位置に保つためのバネを設け、前記ウォーム歯車のウォーム部の両端に溝部を設けてかみ合っているナット板の歯を終端部で外し、この終端部に位置した時に磁気ヘッドを上昇位置または降下位置に設定するとともに、この終端部に位置した時に前記ナット板をその位置に一時的に保持させるロック機構を設けた
光磁気記録再生装置。
【請求項２】
前記ロック機構を、
カートリッジホルダに設けた係合片と、
前記ナット板に設けられナット板の歯が前記ウォーム歯車のウォーム部の溝部
に到達した状態で前記係合片に係合してナット板の移動を規制する弾性片と
で構成した請求項１記載の光磁気記録再生装置。
【発明の詳細な説明】
【０００１】
【発明の属する技術分野】
本発明は、情報の記録や再生を行うことができる光磁気記録再生装置に関するものである。
【０００２】
【従来の技術】
近年、光ディスクを記録媒体として光ピックアップにより読取り再生する光ディスク装置は、小型化、高性能化が進んでおり、携帯用の光ディスク装置としてミニディスク（ＭＤ）を用いた携帯用ＭＤプレーヤが一般的に普及している。
【０００３】
図９〜図１４は従来の携帯型の録音再生ＭＤプレーヤを示し、記録するために必要な磁気ヘッドをＭＤに対して接近離間させる具体的な構造を中心に説明する。
【０００４】
１００はシャーシで、カートリッジホルダ１０９を開閉自在に枢支するとともに、その下部には、カートリッジホルダ１０９にセットされたカートリッジ５２に内蔵されたＭＤ５１を乗せ回転させるスピンドルモータ１０１と、前記ＭＤ５１の情報を読み込む光ピックアップ１０２などが組み付けられている。さらにシャーシ１００には、前記ＭＤ５１に音楽情報を記録する磁気ヘッドユニット１０３が前記光ピックアップ１０２に連結して組み付けられているとともに、シャーシ１００の下部には、磁気ヘッドユニット１０３の磁気ヘッド１０４をＭＤ５１に対して昇降させる昇降モータ１０５が組み付けられている。
【０００５】
昇降モータ１０５の駆動力は、中継歯車群１０７と駆動レバー１０８を介してカートリッジホルダ１０９の上面に設けられた連結レバー１１０に連結され、連結レバー１１０が昇降板１０６を介して磁気ヘッドユニット１０３を前記ＭＤ５１に対して昇降させる方向に駆動する。
【０００６】
このように構成されたユニットは、底ケース１１３とカートリッジホルダ１０９に取り付けられて開閉する蓋１１１とで構成される外装ケースに配線基板１１２とともに納められている。
【０００７】
ＭＤ５１を記録するためには、磁気ヘッドユニット１０３の磁気ヘッド１０４をディスク５１に接触させる必要がある。そこで、昇降モータ１０５を回転させ、この駆動力を中継歯車群１０７、駆動レバー１０８、連結レバー１１０を経て昇降板１０６に伝える。この時、連結レバー１１０の端部１１０ａにカム部が設けられており、昇降板１０６の連結部１０６ａと接触している。また、昇降板１０６は、支持部１０６ｂ，１０６ｃとホルダ１０９の連結部１０９ａ，１０９ｂと昇降板１０６がここを中心に回動できるよう支持固定されている。そのため、連結レバー１１０が矢印Ａ方向へ移動すると、前記支持部を中心に昇降板１０６が回動し、磁気ヘッド１０４が昇降板１０６に乗せられ上昇している状態から降下する方向へ移動し、最後には、磁気ヘッド１０４が、ＭＤ５１に接触し、記録可能になる。図１４に磁気ヘッドユニット１０３の磁気ヘッド１０４が上昇している時の断面図を示す。
【０００８】
【発明が解決しようとする課題】
上記のように構成された従来の光磁気記録再生装置においては、磁気ヘッドユニット１０３の磁気ヘッド１０４の昇降を、シャーシ１００の下部に設けられた昇降モータ１０５により行わせているため、昇降モータ１０５の厚み分だけセットの厚みが大きくなり、また、連結レバー１１０が側面に設けられているので、セットの幅方向も大きくなってしまい、結果として携帯型のＭＤプレーヤとしてはセットサイズが大きくなるため、携帯性という点で扱いにくい製品になっているという問題点を有している。
【０００９】
本発明は、セットの厚みならびに幅寸法を従来品よりも小型化できる光磁気記録再生装置を提供することを目的とする。
【００１０】
【課題を解決するための手段】
この課題を解決するために本発明の光磁気記録再生装置は、カートリッジホルダの上部に磁気ヘッドの昇降のためのブラシレスモータを配置し、これと連結する一連の歯車を有するものである。
【００１１】
これにより、シャーシの下部には、昇降モータが無くなるため、また、連結レバーも側面を通ることがないため、セットサイズとして、厚み、幅方向を小型化することが可能となる。
【００１２】
本発明の請求項１記載の光磁気記録再生装置は、カートリッジホルダにセットされたカートリッジに内蔵されたディスクに対して磁気ヘッドを近接させて記録する状態と、磁気ヘッドを離間させて再生する状態とに動作モードを切り換えられる光磁気記録再生装置であって、前記カートリッジホルダに駆動源と連動機構とを設けて前記磁気ヘッドを動作モードに応じて前記ディスクに接近離間方向に移動させるように構成するとともに、磁気ヘッドを近接させる記録状態または磁気ヘッドを離間させる再生状態に前記連動機構が達した状態で一時的に状態を保持させるロック機構を設け、前記駆動源として前記カートリッジホルダにブラシレスモータを設け、前記連動機構として、前記ブラシレスモータのモータ歯車と噛み合う減速歯車と、前記減速歯車とかみ合うハスバ歯車と、前記ハスバ歯車とかみ合うウォーム歯車とを設け、前記ハスバ歯車とウォーム歯車とは同一支軸を中心に回転し、前記ウォーム歯車の両端に中立位置に保つためのバネを設け、前記ウォーム歯車のウォーム部の両端に溝部を設けてかみ合っているナット板の歯を終端部で外し、この終端部に位置した時に磁気ヘッドを上昇位置または降下位置に設定するとともに、この終端部に位置した時に前記ナット板をその位置に一時的に保持させるロック機構を設けたことを特徴とする。
【００１４】
本発明の請求項２記載の光磁気記録再生装置は、請求項１において、前記ロック機構を、カートリッジホルダに設けた係合片と、前記ナット板に設けられナット板の歯が前記ウォーム歯車のウォーム部の溝部に到達した状態で前記係合片に係合してナット板の移動を規制する弾性片とで構成したことを特徴とする。
【００１５】
以下、本発明の各実施の形態を図１〜図１１に基づいて説明する。
なお、シャーシにカートリッジホルダが開閉自在に枢支されている点については従来例と同じであるが、カートリッジホルダにセットされたカートリッジに内蔵されたディスクに対して磁気ヘッドを近接させて記録する状態と、磁気ヘッドを離間させて再生する状態とに動作モードを切り換える具体的な構造が、従来例とは異なっている。この実施の形態では、シャーシの下部ではなくてカートリッジホルダに駆動源と連動機構とを設けている。
【００１６】
（実施の形態１）
図１と図２は本発明の光磁気記録再生装置の分解斜視図を示し、図１において、シャーシ２６にスピンドルモータ２７が設けられている。２８は蓋、２９はＭＤ５１の情報を再生記録させるための電気回路が構成された配線基板、３０は底ケースである。
【００１７】
シャーシ２６に開閉自在に枢支されたカートリッジホルダ１の上部に、扁平型のブラシレスモータ２が２本の止めビス４ａ，４ｂにてビス締め固定されている。カートリッジホルダ１の上部に植設された減速歯車軸５には、減速歯車３が枢支されており、減速歯車３の上部の平歯車３ａはブラシレスモータ２のモータ歯車２ａに噛み合っている。６はワッシャであり、減速歯車３が減速歯車軸５に組み立てられた後、このワッシャ６を減速歯車軸５にセットして減速歯車３の抜け止めをしている。また、図１では隠れているが減速歯車３の下部はウォーム歯車３ｂになっている。
【００１８】
ウォーム歯車３ｂの近傍では、カートリッジホルダ１の上部に切り起こし加工で形成された支持部１ａ，１ｂに歯車軸９をカートリッジホルダ１の前後方向に取り付け、この支持部１ａ，１ｂの間の歯車軸９にハスバ歯車７とコイルばね１０とウォーム歯車８およびコイルばね１１を取り付け、ハスバ歯車７に前記ウォーム歯車３ｂが噛み合っている。
【００１９】
なお、ブラシレスモータ２のベースには、カートリッジホルダ１に載置されたヘッド配線基板２５を押圧する第１のアーム２ｂと、歯車軸９が支持部１ｂから外れないように上方から押圧する第２のアーム２ｃとが一体に形成されている。
【００２０】
また、図３に示すように、ハスバ歯車７の一端に連結部７ａが設けられ、その連結部７ａは、ウォーム歯車８の連結部８ａに連結し、ハスバ歯車７の回転をウォーム歯車８に伝える。
【００２１】
また、コイルばね１０はハスバ歯車７とウォーム歯車８の各々の連結部７ａ，８ａの中に設けられ、コイルばね１１はワッシャ１３とワッシャ１４の間に設けられている。ワッシャ１３の役目は、ウォーム歯車８の回転が直接にコイルばね１１に伝わらないようにしている。ワッシャ１４と、ハスバ歯車７側に設けられたワッシャ１２とは、ハスバ歯車７とウォーム歯車８が歯車軸９より抜けないような役割をしている。
【００２２】
一方、磁気ヘッドユニット１９は、ヘッド抑えばね２０とともに、止めビス２１をヘッドアングル２２にねじ締め固定することで固定される。また、ヘッドアングル２２は、止めビス２３により、光ピックアップ２４に固定されている。
【００２３】
先端のリフト部１８ｄが磁気ヘッドユニット１９の磁気ヘッド１９ａと接触する位置に設定された昇降板１８は、基端の支持部１８ｂ，１８ｃがカートリッジホルダ１の固定部１ｅ，１ｆにこの支持部１８ｂ，１８ｃを中心に回動可能な状態で支持されている。昇降板１８の連結部１８ａの下面には、連結レバー１６のカム部１６ａが当接している。
【００２４】
連結レバー１６は、カートリッジホルダ１の面に沿って矢印Ａまたは矢印Ｂ方向へスライド自在になるように、孔１６ｂ，１６ｃにカートリッジホルダ１に設けられたリブ１ｃ，１ｄが係合するとともにカートリッジホルダ１に設けられた切り起こし片１ｇが連結レバー１６の端部に係合して取り付けられている。
【００２５】
この連結レバー１６の端部にはナット板１５が接着固定されている。ナット板１５の歯部１５ａが前記ウォーム歯車８のウォーム部８ｂに係合している。また、ナット板１５の一端には押しリブ１５ｂが設けられており、押しリブ１５ｂがヘッド配線基板２５のスイッチ１７を押すことにより連結レバー１６の位置検出を行えるように構成されている。
【００２６】
なお、カートリッジホルダ１にはナット板１５に係合するガイド片１ｈが切り起こしによって形成されている。ナット板１５には、歯部１５ａの背面側に突部１５ｃを有する弾性片１５ｄが一体に樹脂成形されている。さらに、突部１５ｃに係合可能な係合片１ｉがカートリッジホルダ１に切り起こしによって形成されている。
【００２７】
上記の構成を図４〜図６に示す動作工程に基づいて詳細に説明する。
なお、ここでは、説明の便宜上、減速歯車３の平歯車の部分は一部削除し、ハスバ歯車７、ウォーム歯車８などの動きが見られるようにしてあるが、実際は、減速歯車３の平歯車は全周存在する。
【００２８】
図４は磁気ヘッドユニット１９の磁気ヘッド１９ａが上昇している状態を示している。図８に再生状態の磁気ヘッドの上昇状態を示す。
ウォーム歯車８のウォーム部８ｃのねじれ方向は右である。この状態では、ナット板１５の歯部１５ａは、ウォーム歯車８の溝部８ｂに入り込んでいるが、コイルばね１１は圧縮されており、矢印Ｂ方向へウォーム歯車８を常に押している状態である。
【００２９】
次に、ブラシレスモータ２が回転し、一連の歯車群を伝わり、ウォーム歯車８が右回転する（ねじが進む方向）と、コイルばね１１はウォーム歯車８を矢印Ｂ方向へ押しているので、ナット板１５の歯部１５ａは、ウォーム歯車８の溝部８ｂよりウォーム部８ｃに入る。よって、ウォーム歯車８が右回転するにつれて、ナット板１５および連結レバー１６は矢印Ａ方向へ移動する。
【００３０】
図５はナット板１５および連結レバー１６が移動中の状態を示している。
この状態からナット板１５が矢印Ａ方向へもう少し移動すると、ナット板１５の押しリブ１５ｂがスイッチ１７のレバー１７ａを押す。これによって、ヘッド配線基板２５は、ナット板１５が磁気ヘッドユニット１９の磁気ヘッド１９ａが降下した位置に到達したと認識し、スイッチ１７のレバー１７ａのオン認識後、数百ミリ秒後にブラシレスモータ２の回転は停止するように設定されている。図６はブラシレスモータ２が停止した位置を示している。
【００３１】
図５と図６における係合片１ｉとナット板１５の弾性片１５ｄの中間部に形成された突部１５ｃとの関係に注目すると、矢印Ａ方向にナット板１５が駆動されて図５に示す状態では、突部１５ｃが係合片１ｉの先端を通過する際に弾性片１５ｄが弾性変形を始め、図６に示すようにウォーム歯車８のウォーム部８ｃの溝部８ｄに歯部１５ａが位置する状態では、カートリッジホルダ１の係合片１ｉにナット板１５の突部１５ｃが係合しており、ウォーム歯車８が回転しても歯部１５ａが溝部８ｄの中で矢印Ａ方向または矢印Ｂ方向に移動しないようにロックされる。
【００３２】
つまり、ウォーム歯車８は、ナット板１５および連結ロッドを矢印Ａ方向へ送り、ナット板１５の歯部１５ａがウォーム歯車８のウォーム部８ｃから溝部８ｄに入りこむ。この状態が、昇降板１８のリフト部１８ｄが降下した位置であり、磁気ヘッドユニット１９の磁気ヘッド１９ａがＭＤ５１に接触している状態である。
【００３３】
このとき、もう一方のコイルばね１０は圧縮された状態であり、ウォーム歯車８の回転が停止してもウォーム歯車８を矢印Ａ方向へ絶えず押している。つまり、ウォーム歯車８のウォーム部８ｃの終端のネジ部がナット板１５の歯部１５ａを矢印Ａ方向へ絶えず押していることになり、コイルばね１０はナット板１５および連結レバー１６の位置を安定させている働きがある。
【００３４】
この状態をさらに詳しく見ると、コイルばね１０がナット板１５および連結レバー１６の位置を幾分でも安定させているものの、ロック機構としての前記弾性片１５ｄと係合片１ｉが形成されていない場合には、厳密には次のような問題がある。
【００３５】
ウォーム歯車８のウォーム部８ｃの終端のネジ部は、そのネジ山の高さが終端部にいくほど低くなっている。その徐々にネジ山の高さが低くなる範囲は、１回転分（約１ピッチ分）である。もし、ロック機構としての前記弾性片１５ｄと係合片１ｉが形成されていない場合には、ウォーム歯車８の止まった位置によりナット板１５の位置がネジ山１回転分（約１ピッチ分）動いてしまって不安定になる。つまり、図６においてはウォーム歯車８のネジ山は絶えずナット板１５の歯部１５ａを矢印Ａ方向へ押しているが、ナット板１５はスイッチ１７のレバー１７ａから作用する押し戻そうとする力が働いて矢印Ｂ方向に押されて、ナット板１５の歯部１５ａはウォーム歯車８の終端のウォーム部に絶えず押し当てられた状態になっていて、ウォーム歯車８の止まった位置によりナット板１５の位置が約１ピッチ分だけ動いてしまって不安定になる。
【００３６】
この（実施の形態１）では、上記のように弾性片１５ｄと係合片１ｉが形成されているので、スイッチ１７のレバー１７ａから作用する押し戻そうとする力がナット板１５に働いても、ナット板１５は弾性片１５ｄと係合片１ｉとの係合によるロックによって、矢印Ｂ方向へは移動しない。つまり、ウォーム歯車８の終端のウォーム部８ｃの終端のネジ山でナット板１５の歯部１５ａを送りきった後は、ナット板１５はその位置に保持されているので動作が安定し、磁気ヘッド１９ａ位置をより安定にできる。
【００３７】
そして、磁気ヘッドユニット１９の磁気ヘッド１９ａを上昇させる場合には、ブラシレスモータ２の回転を前記とは逆方向に回転させる。すると、ウォーム歯車８が逆回転し、前記コイルばね１０がウォーム歯車８を矢印Ａ方向へ押しているため、ナット板１５の歯部１５ａは、ウォーム歯車８の溝部８ｄからウォーム部８ｃへ移り、ナット板１５が矢印Ｂ方向に移動を始め、係合片１ｉからナット板１５の突部１５ｃが外れて、先ほどの説明とは逆で、図６から図５を経て図４に示す状態になり、磁気ヘッドユニット１９の磁気ヘッド１９ａの上昇が完了する。図９に記録状態の磁気ヘッドの降下状態を示す。
【００３８】
図７に示すように、磁気ヘッドユニット１９の磁気ヘッド１９ａの昇降用のモータに、薄型が可能なブラシレスモータ２を用い、これと連結する一連の歯車をカートリッジホルダ１の上部に配置することで、シャーシ２６の下部の空間を空けることなく、配線基板２９を配置できるので、底ケース３０を薄くでき、また、従来例のように、連結レバーが側面にはみ出ることがないので、ＭＤプレーヤとして、薄型化、小型化が実現できる。
【００３９】
また、ウォーム歯車８のウォーム部８ｃの両端部に溝部８ｂ，８ｄを設けてあるので、終端でウォーム歯車８が長く回転していて、ナット板１５はその位置に止まっており、ウォーム歯車８が、空回り状態になるだけで済み、ウォームの回転のオーバーランによる終端でのロック状態（一般に云うウォームロック）は発生しないという効果もある。ロック機構として前記弾性片１５ｄと係合片１ｉを設けたので、図９における隙間ｇ１を一定に保持して記録状態での磁気ヘッド１９ａの位置をより安定に保持できる。
【００４０】
（実施の形態２）
図１０と図１１は本発明の（実施の形態２）を示す。
（実施の形態１）ではロック機構として弾性片１５ｄと係合片１ｉを設けて記録状態での磁気ヘッド１９ａの位置を安定に保持したが、この（実施の形態２）では弾性片１５ｄの形状を（実施の形態１）のそれとは変更して、記録状態での隙間ｇ１ならびに再生状態（磁気ヘッド部９ａが上昇した図８に示す状態）での隙間ｇ２を一定に保持して磁気ヘッド１９ａの位置を安定に保持している。
【００４１】
再生状態では、ナット板１５の歯部１５ａを矢印Ａ方向へ押し戻そうとする力は働いていないが、図１１に示すようにウォーム歯車８がハスバ歯車７に近づいた状態で停止した時には、コイルバネ１１の圧縮量は少ないので、矢印Ａ方向へ押し戻す力は弱くなる。そのため、ナット板１５や連結レバー１６が衝撃などで動かされた場合などには、再生状態の位置にまで戻らない可能性があるが、弾性片１５ｄの形状を図１０に示すように構成することによって、これを防止できる。
【００４２】
【発明の効果】
以上のように本発明の光磁気記録再生装置は、カートリッジホルダにセットされたカートリッジに内蔵されたディスクに対して磁気ヘッドを近接させて記録する状態と、磁気ヘッドを離間させて再生する状態とに動作モードを切り換えられる光磁気記録再生装置であって、前記カートリッジホルダに駆動源と連動機構とを設けて前記磁気ヘッドを動作モードに応じて前記ディスクに接近離間方向に移動させるように構成したため、セットサイズを従来のようにシャーシの下部に駆動機構を設けていた従来のセットに比べて小型化、薄型化を実現できる。しかも、磁気ヘッドを近接させる記録状態または磁気ヘッドを離間させる再生状態に前記連動機構が達した状態で一時的に状態を保持させるロック機構を設けたため、記録状態または再生状態における磁気ヘッドの位置を安定に保持できる。
【００４３】
さらに、上記の駆動源としてカートリッジホルダにブラシレスモータを設け、連動機構として、前記ブラシレスモータのモータ歯車と噛み合う減速歯車と、前記減速歯車とかみ合うハスバ歯車と、前記ハスバ歯車とかみ合うウォーム歯車とを設け、前記ハスバ歯車とウォーム歯車とは同一支軸を中心に回転し、ウォーム歯車の両端に中立位置に保つためのバネを設け、前記ウォーム歯車のウォーム部の両端に溝部を設けてかみ合っているナット板の歯を終端部で外し、この終端部に位置した時に磁気ヘッドを上昇位置または降下位置に設定することによって、機構の全体の高さを薄くできるとともに安定した動作を期待でき、この終端部に位置した時に前記ナット板をその位置に一時的に保持させるロック機構を設けることによって、記録状態または再生状態における磁気ヘッドの位置を安定に保持できる。
【００４４】
具体的には、前記ロック機構を、カートリッジホルダに設けた係合片と、前記ナット板に設けられナット板の歯が前記ウォーム歯車のウォーム部の溝部に到達した状態で前記係合片に係合してナット板の移動を規制する弾性片とで構成することによって、携帯型の光磁気記録再生装置を実現できる。
【図面の簡単な説明】
【図１】本発明の実施の形態におけるユニット毎の分解斜視図
【図２】同実施の形態の要部の分解斜視図
【図３】同実施の形態の要部の拡大平面図
【図４】同実施の形態の磁気ヘッド１９ａが上昇している状態の動作説明図
【図５】同実施の形態のナット板１５が移動中の状態の動作説明図
【図６】同実施の形態の磁気ヘッド１９ａが下降している状態の動作説明図
【図７】同実施の形態の断面図
【図８】同実施の形態の再生状態の磁気ヘッドの上昇状態を示す断面図
【図９】同実施の形態の記録状態の磁気ヘッドの降下状態を示す断面図
【図１０】別の実施の形態の要部の平面図
【図１１】図１０の拡大平面図
【図１２】従来例における分解斜視図
【図１３】同従来例の斜視図
【図１４】従来例における分解斜視図
【符号の説明】
１    カートリッジホルダ
１ｉ    カートリッジホルダの係合片
２    ブラシレスモータ（駆動源）
３    減速歯車
３ａ    減速歯車の上部の平歯車
３ｂ    減速歯車の下部のウォーム歯車
５    減速歯車軸
７    ハスバ歯車
８    ウォーム歯車
８ｂ，８ｄ    溝部
９    歯車軸
１０，１１    コイルばね
１５    ナット板
１５ａ    ナット板の歯部
１５ｃ    ナット板の突部
１５ｄ    ナット板の弾性片
１６    連結レバー
１８    昇降板
１９    磁気ヘッドユニット
１９ａ    磁気ヘッド
２０    ヘッド抑えばね
２１，２３    止めビス
２２    ヘッドアングル
２４    光ピックアップ
５１    ミニディスク（ディスク）
５２    カートリッジ
【図１】
0004408535.tif 000002
【図２】
0004408535.tif 000003
【図３】
0004408535.tif 000004
【図４】
0004408535.tif 000005
【図５】
0004408535.tif 000006
【図６】
0004408535.tif 000007
【図７】
0004408535.tif 000008
【図８】
0004408535.tif 000009
【図９】
0004408535.tif 000010
【図１０】
0004408535.tif 000011
【図１１】
0004408535.tif 000012
【図１２】
0004408535.tif 000013
【図１３】
0004408535.tif 000014
【図１４】
0004408535.tif 000015